(57)【特許請求の範囲】
【請求項１】
第１の燃料と第１の燃料より硫黄成分が少ない第２の燃料とを切り替えて燃焼する複数のボイラを有し該各ボイラからの排ガスを対応した複数の煙突に導く多缶ボイラの前記各ボイラからの排ガスを１つの脱硫設備により脱硫するようにしたボイラ通風圧力制御装置であって、
前記各ボイラの排ガスダクトを統合する合流ダクトと、
該合流ダクトに備えた１つの脱硫設備と、
該脱硫設備出口の排ガスを分岐して前記各煙突に導く分岐ダクトと、
該各分岐ダクトに備えたブースタファンと、
前記各排ガスダクトと各分岐ダクトの煙突入口とを連通するバイパスダクトと、
前記各排ガスダクトのバイパスダクト接続部下流に備えたボイラ出口圧力調節ダンパと、
前記ボイラの起動時は前記ボイラ出口圧力調節ダンパを微開した後開スケジュールにより開作動すると共に、この時のボイラ出口と煙突入口の差圧が無くなるようにボイラ出口圧力調節ダンパの開度を制御し、ボイラの通常運転時は前記各ボイラ出口の圧力が第１設定圧力に保持されるように前記ボイラ出口圧力調節ダンパを制御し、ボイラの停止時は前記ボイラ出口圧力調節ダンパをボイラ出口と煙突入口の差圧が無くなるように制御し、その後、閉スケジュールにより閉作動するように前記ボイラ出口圧力調節ダンパを制御する第１圧力制御器と、
前記各分岐流路のブースタファン入口に備えた誘引圧力調節ダンパと、
前記ボイラの通常運転時に前記脱硫設備入口の圧力が第２設定圧力に保持されるように前記誘引圧力調節ダンパを制御する第２圧力制御器と、
を備えたことを特徴とするボイラ通風圧力制御装置。
【請求項２】
前記排ガスダクトと分岐ダクトとバイパスダクトの夫々に開閉ダンパを備えたことを特徴とする請求項１に記載のボイラ通風圧力制御装置。
【請求項３】
前記請求項１又は２に記載のボイラ通風圧力制御装置の運転方法であって、
ボイラで低硫黄燃料を燃焼する際の排ガスはバイパスダクトに導くようにし、
一方、ボイラで高硫黄燃料を燃焼する際のボイラの起動時は、先ず脱硫設備及び当該ボイラに対応したブースタファンを運転し、前記ボイラ出口圧力調節ダンパと誘引圧力調節ダンパを微開にした後当該ボイラを駆動し、ボイラ排ガス圧力が安定した後、ボイラ負荷の増加に伴いボイラ出口圧力調節ダンパを開スケジュールにより開作動すると共に、この時のボイラ出口と煙突入口の差圧が無くなるようにボイラ出口圧力調節ダンパの開度を制御し、
ボイラの通常運転時は、前記各ボイラからの排ガス圧力が第１設定圧力に保持されるように前記ボイラ出口圧力調節ダンパを制御すると共に、前記脱硫設備入口の排ガス圧力が第２設定圧力に保持されるように前記誘引圧力調節ダンパを制御し、
ボイラの停止時は、当該ボイラの出力を低下させると共に前記ボイラ出口圧力調節ダンパと誘引圧力調節ダンパを微閉にして排ガス圧力が安定した後、ボイラ出口と煙突入口の差圧が無くなるように制御し、その後、閉スケジュールにより閉作動するようにボイラ出口圧力調節ダンパを制御し、当該ボイラが停止しボイラ出口圧力調節ダンパが全閉したら当該ボイラに対応したブースタファンの運転を停止する
ことを特徴とするボイラ通風圧力制御装置の運転方法。
【発明の詳細な説明】
【技術分野】
【０００１】
本発明は、ボイラ通風圧力制御装置及びその運転方法に関し、特に排ガスを脱硫せずに排気できる低硫黄燃料を燃焼する多缶ボイラにおいて、排ガスの脱硫が必要な高硫黄燃料も燃焼できるようにする際の設備費用の低減を図ると共に、ボイラの通風圧力を安定させられるようにしたボイラ通風圧力制御装置及びその運転方法に関する。
【背景技術】
【０００２】
従来より、ボイラを複数台設置し、ボイラ負荷信号（発電設備では出力指令）に応じてボイラの燃焼台数を調節するボイラ多缶システムが知られている。多缶ボイラでは、複数のボイラは単独で燃焼して蒸気を発生することができ、且つ各ボイラで発生した蒸気は集合されて蒸気を必要とする箇所へ供給されるようになっており、必要な蒸気圧力に応じて必要な台数分のボイラを燃焼するようにしている。
【０００３】
図４は多缶ボイラの一例を示す概略フローチャートであり、図４ではボイラ１ａとボイラ１ｂが並設された場合を示しており、各ボイラ１ａ，１ｂには、押込通風機２ａ，２ｂ（ＦＤＦ）による空気と燃料が供給されて燃焼し、燃焼によって生じた排ガスは排ガスダクト３ａ，３ｂにより電気集塵器４ａ，４ｂ（ＥＰ）に導かれて除塵された後、煙突５ａ，５ｂに導かれるようになっている。尚、ボイラ排ガスの脱硝を行う必要がある場合には脱硝装置を備えるようにしているが、図４では省略している。
【０００４】
一方、ボイラで燃焼する燃料としては、天然ガス等のガス、軽油、重油、オルマリジョン、石炭、バイオマス等が用いられるが、これらの燃料については、排ガスを脱硫せずに排気できる低硫黄燃料（第２の燃料）と、排ガスの脱硫が必要な高硫黄燃料（第１の燃料）が国、自治体の条例等によって決められている。従って、高硫黄燃料（第１の燃料）を燃焼するボイラにおいては脱硫設備を備える必要があるが、図４では低硫黄燃料（第２の燃料）を燃焼するボイラ１ａ，１ｂを示しているため、排ガス中の硫黄を除去する脱硫設備は備えられていない。
【０００５】
一方、天然ガスやＡ重油のような含硫黄分の低い低硫黄燃料は一般に高価であるために、図４に示したボイラ１ａ，１ｂにおいて、前記低硫黄燃料と、安価であるが硫黄含有量が多いＣ重油やオリマルジョン等の高硫黄燃料とを切り替えて燃焼できるようにボイラを改造する要求がある。
【０００６】
図４の多缶ボイラにおいて、各ボイラ１ａ，１ｂで低硫黄燃料と高硫黄燃料を切り替えて燃焼できるようにするには、図５に示す如く、排ガスダクト３ａ，３ｂの夫々に、排ガスから熱回収を行う前段の熱交換器６ａ，６ｂと、吸収塔７ａ，７ｂと、排ガスを加熱して煙突５ａ，５ｂからの白煙防止を行う後段の熱交換器８ａ，８ｂとからなる脱硫設備９ａ，９ｂを備えることが考えられる。また、前記したように排ガスダクト３ａ，３ｂに脱硫設備９ａ，９ｂを設置すると、該脱硫設備９ａ，９ｂによる圧力損失が大きくなって、押込通風機２ａ，２ｂによる燃焼空気の押込み能力では排ガスを排気できなくなるため、前記脱硫設備９ａ，９ｂの夫々の出口にブースタファン１０ａ，１０ｂを設置する必要がある。
【０００７】
一般的なボイラの多缶設置システムとしては、ボイラが燃焼を停止している場合に、空気量調節手段により炉内の圧力を所定の圧力に保つために必要な量の空気を炉内へ導入する制御を行うようにしたものがある（例えば、特許文献１等参照）。
【先行技術文献】
【特許文献】
【０００８】
【特許文献１】特開２００１−１３２９４０号公報
【発明の概要】
【発明が解決しようとする課題】
【０００９】
しかし、排ガスを脱硫せずに排気できる低硫黄燃料を燃焼している多缶ボイラにおいて、排ガスの脱硫が必要な高硫黄燃料も燃焼できるようにするために、図５に示した如く排ガスダクト３ａ，３ｂの夫々に脱硫設備９ａ，９ｂを設置した場合には、ボイラ１ａ，１ｂと同数の脱硫設備９ａ，９ｂが必要になり、従って改造のための設備費用が大幅に増加してしまうという問題がある。
【００１０】
本発明は、上記実情に鑑みてなしたもので、排ガスを脱硫せずに排気できる低硫黄燃料を燃焼する多缶ボイラにおいて、低い設備費用で排ガスの脱硫が必要な高硫黄燃料も燃焼できるようにし、且つボイラの通風圧力も安定させられるようにしたボイラ通風圧力制御装置及びその運転方法を提供しようとするものである。
【課題を解決するための手段】
【００１１】
本発明は、第１の燃料と第１の燃料より硫黄成分が少ない第２の燃料とを切り替えて燃焼する複数のボイラを有し該各ボイラからの排ガスを対応した複数の煙突に導く多缶ボイラの前記各ボイラからの排ガスを１つの脱硫設備により脱硫するようにしたボイラ通風圧力制御装置であって、
前記各ボイラの排ガスダクトを統合する合流ダクトと、
該合流ダクトに備えた１つの脱硫設備と、
該脱硫設備出口の排ガスを分岐して前記各煙突に導く分岐ダクトと、
該各分岐ダクトに備えたブースタファンと、
前記各排ガスダクトと各分岐ダクトの煙突入口とを連通するバイパスダクトと、
前記各排ガスダクトのバイパスダクト接続部下流に備えたボイラ出口圧力調節ダンパと、
前記ボイラの起動時は前記ボイラ出口圧力調節ダンパを微開した後開スケジュールにより開作動すると共に、この時のボイラ出口と煙突入口の差圧が無くなるようにボイラ出口圧力調節ダンパの開度を制御し、ボイラの通常運転時は前記各ボイラ出口の圧力が第１設定圧力に保持されるように前記ボイラ出口圧力調節ダンパを制御し、ボイラの停止時は前記ボイラ出口圧力調節ダンパをボイラ出口と煙突入口の差圧が無くなるように制御し、その後、閉スケジュールにより閉作動するように前記ボイラ出口圧力調節ダンパを制御する第１圧力制御器と、
前記各分岐流路のブースタファン入口に備えた誘引圧力調節ダンパと、
前記ボイラの通常運転時に前記脱硫設備入口の圧力が第２設定圧力に保持されるように前記誘引圧力調節ダンパを制御する第２圧力制御器と、
を備えたことを特徴とするボイラ通風圧力制御装置、に係るものである。
【００１２】
上記ボイラ通風圧力制御装置において、前記排ガスダクトと分岐ダクトとバイパスダクトの夫々に開閉ダンパを備えることは好ましい。
【００１３】
本発明は、前記請求項１又は２に記載のボイラ通風圧力制御装置の運転方法であって、
ボイラで低硫黄燃料を燃焼する際の排ガスはバイパスダクトに導くようにし、
一方、ボイラで高硫黄燃料を燃焼する際のボイラの起動時は、先ず脱硫設備及び当該ボイラに対応したブースタファンを運転し、前記ボイラ出口圧力調節ダンパと誘引圧力調節ダンパを微開にした後当該ボイラを駆動し、ボイラ排ガス圧力が安定した後、ボイラ負荷の増加に伴いボイラ出口圧力調節ダンパを開スケジュールにより開作動すると共に、この時のボイラ出口と煙突入口の差圧が無くなるようにボイラ出口圧力調節ダンパの開度を制御し、
ボイラの通常運転時は、前記各ボイラからの排ガス圧力が第１設定圧力に保持されるように前記ボイラ出口圧力調節ダンパを制御すると共に、前記脱硫設備入口の排ガス圧力が第２設定圧力に保持されるように前記誘引圧力調節ダンパを制御し、
ボイラの停止時は、当該ボイラの出力を低下させると共に前記ボイラ出口圧力調節ダンパと誘引圧力調節ダンパを微閉にして排ガス圧力が安定した後、ボイラ出口と煙突入口の差圧が無くなるように制御し、その後、閉スケジュールにより閉作動するようにボイラ出口圧力調節ダンパを制御し、当該ボイラが停止しボイラ出口圧力調節ダンパが全閉したら当該ボイラに対応したブースタファンの運転を停止する
ことを特徴とするボイラ通風圧力制御装置の運転方法、に係るものである。
【発明の効果】
【００１４】
本発明のボイラ通風圧力制御装置及びその運転方法によれば、多缶ボイラにおいて１つの脱硫設備を備えることで、排ガスを脱硫せずに排気できる低硫黄燃料と、排ガスの脱硫が必要な高硫黄燃料とを燃焼することができ、且つボイラの通風圧力を安定させられるという優れた効果を奏し得る。
【図面の簡単な説明】
【００１５】
【図１】本発明を実施する多缶ボイラの一例を示すフローチャートである。
【図２】第１圧力制御器の回路構成を示すブロック図である。
【図３】第２圧力制御器の回路構成を示すブロック図である。
【図４】多缶ボイラの一例を示す概略フローチャートである。
【図５】図４の多缶ボイラにおいて低硫黄燃料と高硫黄燃料を切り替えて燃焼できるように改造した場合の概略フローチャートである。
【発明を実施するための形態】
【００１６】
以下、本発明の実施の形態を添付図面を参照して説明する。
【００１７】
図１は本発明を実施する形態の一例を示すフローチャートであり、図５と同一のものには同じ符号を付して詳細な説明は省略し、本発明の特徴部分についてのみ説明する。図１に示す如く、多缶ボイラの各ボイラ１ａ，１ｂにおける電気集塵器４ａ，４ｂ出口の排ガスダクト３ａ，３ｂを統合する合流ダクト１１を設け、該合流ダクト１１に前段の熱交換器６と吸収塔７と後段の熱交換器８からなる１つの脱硫設備９を配置する。更に、該脱硫設備９出口の排ガスを分岐して各煙突５ａ，５ｂに導く分岐ダクト１２ａ，１２ｂを設け、該各分岐ダクト１２ａ，１２ｂにブースタファン１０ａ，１０ｂを設ける。
【００１８】
前記各排ガスダクト３ａ，３ｂにおける電気集塵器４ａ，４ｂ出口と、前記各分岐ダクト１２ａ，１２ｂの煙突５ａ，５ｂ入口とをバイパスダクト１３ａ，１３ｂにより連通する。
【００１９】
前記各排ガスダクト３ａ，３ｂにおけるバイパスダクト１３ａ，１３ｂの接続部より下流位置にはボイラ出口圧力調節ダンパ１４ａ，１４ｂを夫々設け、該各ボイラ出口圧力調節ダンパ１４ａ，１４ｂを制御するための第１圧力制御器１５ａ，１５ｂを設ける。該第１圧力制御器１５ａ，１５ｂには、前記各ボイラ出口圧力調節ダンパ１４ａ，１４ｂの入口に設けたボイラ出口圧力計１６ａ，１６ｂで検出した圧力と、煙突５ａ，５ｂの入口に設けた煙突入口圧力計２０ａ，２０ｂで検出した圧力が入力されている。
【００２０】
第１圧力制御器１５ａ，１５ｂは、前記ボイラ１ａ，１ｂの起動時には、前記ボイラ出口圧力調節ダンパ１４ａ，１４ｂを微開した後開スケジュールによって開作動し、この時前記ボイラ出口圧力計１６ａ，１６ｂによる圧力と煙突入口圧力計２０ａ，２０ｂによる圧力の差が無くなる（０になる）ように前記ボイラ出口圧力調節ダンパ１４ａ，１４ｂを制御し、ボイラ１ａ，１ｂの通常運転時には前記ボイラ出口圧力計１６ａ，１６ｂによる各ボイラ１ａ，１ｂの排ガスの圧力が所定の第１設定圧力（電気集塵器４ａ，４ｂの圧力損失を考慮して例えば−５０ｍｍＨ2Ｏ）に保持されるように前記ボイラ出口圧力調節ダンパ１４ａ，１４ｂを制御し、前記ボイラ１ａ，１ｂの停止時には、前記ボイラ出口圧力計１６ａ，１６ｂによる圧力と煙突入口圧力計２０ａ，２０ｂによる圧力の差が無くなる（０になる）ように制御し、その後、前記ボイラ出口圧力調節ダンパ１４ａ，１４ｂを微閉した後閉スケジュールによって閉作動するように前記ボイラ出口圧力調節ダンパ１４ａ，１４ｂを制御している。ここで、開スケジュールとは、起動時のボイラ出口圧力調節ダンパ１４ａ，１４ｂの開作動手順である。閉スケジュールとは、停止時のボイラ出口圧力調節ダンパ１４ａ，１４ｂの閉作動手順である。
【００２１】
一方、前記各分岐流路１２ａ，１２ｂのブースタファン１０ａ，１０ｂの入口に誘引圧力調節ダンパ１７ａ，１７ｂを設け、該誘引圧力調節ダンパ１７ａ，１７ｂを制御する第２圧力制御器１８を設ける。該第２圧力制御器１８には、前記脱硫設備９入口に設けた脱硫入口圧力計１９で検出した圧力が入力されており、ボイラ１ａ，１ｂの通常運転時は前記脱硫設備９入口の排ガスの圧力が所定の第２設定圧力（例えば−１１０ｍｍＨ2Ｏ）に保持されるように前記誘引圧力調節ダンパ１７ａ，１７ｂを制御している。
【００２２】
なお、図１中、２１ａ，２１ｂは前記排ガスダクト３ａ，３ｂの電気集塵器４ａ，４ｂ出口に設けた開閉ダンパ、２２ａ，２２ｂはバイパスダクト１３ａ，１３ｂに設けた開閉ダンパ、５２ａ，５２ｂは分岐ダクト１２ａ，１２ｂにおける誘引圧力調節ダンパ１７ａ，１７ｂの入口に設けた開閉ダンパ、５３ａ，５３ｂは分岐ダクト１２ａ，１２ｂにおけるブースタファン１０ａ，１０ｂ出口に設けた開閉ダンパである。また、２３ａ，２３ｂは前記ボイラ出口圧力調節ダンパ１４ａ，１４ｂの入口に設けた排ガス流量計、２４は脱硫設備９の入口に設けた排ガス流量計である。
【００２３】
図２は前記第１圧力制御器１５ａ，１５ｂの回路構成を示すブロック図であり、前記ボイラ出口圧力計１６ａ，１６ｂの検出圧力と、ボイラ負荷信号２５から関数発生器２６により作成した第１設定圧力２７（例えば−５０ｍｍＨ2Ｏ）を引算器２８に入力して引算し、該引算器２８による引算結果の偏差がなくなるようにＰＩコントローラ２９により前記ボイラ出口圧力調節ダンパ１４ａ，１４ｂの開度を制御しており、これにより通常運転時は、電気集塵器４ａ，４ｂ出口のボイラ排ガス圧力が常に第１設定圧力２７になるように制御される。図２中、３０は、排ガス流量計２３ａ，２３ｂからの電気集塵器４ａ，４ｂ出口の排ガス流量から関数発生器３１によって得たボイラ出口圧力調節ダンパ１４ａ，１４ｂの予定開度を、前記ＰＩコントローラ２９からの信号に先行的に加算する加算器である。更に、該加算器３０からの信号に対して、ボイラの起動開始時に微開Ｓ1信号を発しその後ボイラ負荷信号に基づく開スケジュールを発する開スケジュール信号３２を入力するよう切り替える切替器３３と、ボイラの停止開始時に微閉Ｓ2信号を発しその後ボイラ負荷信号に基づく閉スケジュールを発する閉スケジュール信号３４を入力するよう切り替える切替器３５と、ボイラ停止時に閉止（０％）信号３６を入力するよう切り替える切替器３７を備えている。
【００２４】
又、前記関数発生器２６と前記引算器２８との間には、切替器５１が備えてあり、該切替器５１は、ボイラ1ａ，1ｂの起動、停止時に、前記煙突入口圧力計２０ａ，２０ｂからの圧力を前記第１設定圧力２７と切り替えて引算器４０に導くようにしている。
【００２５】
図３は前記の第２制御器１８の回路構成を示すブロック図であり、前記脱硫入口圧力計１９の検出圧力と、ボイラ負荷信号２５から関数発生器３８により作成した第２設定圧力３９（例えば−１１０ｍｍＨ2Ｏ）を引算器４０に入力して引算し、該引算器４０による引算結果の偏差がなくなるようにＰＩコントローラ４１により前記誘引圧力調節ダンパ１７ａ，１７ｂの開度を制御し、これにより通常運転時は、脱硫設備９入口の圧力を常に第２設定圧力３９に保持するようにしている。図３中、４２は排ガス圧力が所定範囲を超えて高く或いは低くなることを防止するための安全リミッタであり、また、４３は排ガス流量計２４からの脱硫設備９入口排ガス流量に基づいて関数発生器４４により得た誘引圧力調節ダンパ１７ａ，１７ｂの予定開度を、前記ＰＩコントローラ４１からの信号に先行的に加算する加算器である。更に、該加算器４３からの信号に対して、ボイラの起動開始時に微開信号４５Ｓ3を入力する切替器４６、ボイラの停止開始時に微閉信号４７Ｓ4を入力する切替器４８、及びボイラ停止時に閉止（０％）信号４９を入力する切替器５０を備えている。
【００２６】
次に、上記形態の作動を図１〜図３を参照しつつ説明する。
【００２７】
図１のボイラ１ａ，１ｂで排ガスを脱硫せずに排気できる低硫黄燃料（第２の燃料）を燃焼する場合には、開閉ダンパ２１ａ，２１ｂ、２２ａ，２２ｂは開け、開閉ダンパ５２ａ，５２ｂ，５３ａ，５３ｂは閉じ、ボイラ出口圧力調節ダンパ１４ａ，１４ｂは閉止し、脱硫設備９及びブースタファン１０ａ，１０ｂの運転は停止した状態においてボイラ１ａ，１ｂを運転する。この時、ボイラ１ａ，１ｂからの排ガスは脱硫設備９による圧力損失がないため、押込通風機２ａ，２ｂによる空気の押込みによりバイパスダクト１３ａ，１３ｂを通って煙突５ａ，５ｂに導かれる。
【００２８】
次に、前記ボイラ１ａ，１ｂで排ガスの脱硫が必要な高硫黄燃料（第１の燃料）を燃焼する場合を、ボイラ１ａの場合を例にとって説明するが、ボイラ１ｂの場合も同様である。
【００２９】
停止しているボイラ１ａを起動する際は、先ず、開閉ダンパ２１ａ，５２ａ，５３ａは開け、開閉ダンパ２２ａは閉じ、脱硫設備９及びブースタファン１０ａ，１０ｂは作動させた状態において、前記ボイラ出口圧力調節ダンパ１４ａを図２に示す如く開スケジュール信号３２により微開Ｓ1（例えば全開に対して１０％開）にすると共に、誘引圧力調節ダンパ１７ａを図３に示す如く微開信号４５により微開Ｓ3（例えば全開に対して１０％開）にした後、ボイラ１ａに押込通風機２ａによる空気とオルマリジョン等の高硫黄燃料とを供給して燃焼させることによりボイラ１ａを起動する。これにより、ボイラ１ａからの排ガスは、排ガスダクト３ａの微開のボイラ出口圧力調整ダンパ１４ａ、合流ダクト１１の脱硫設備９、分岐ダクト１２ａの微開の誘引圧力調節ダンパ１７ａを介しブースタファン１０ａにより吸引されて煙突５ａに導かれる。
【００３０】
ボイラ出口圧力計１６ａで検出されるボイラ１ａからの排ガス圧力が安定した後、ボイラ１ａの負荷を増加すると共に、図２に示す如くボイラ負荷信号２５に基づく開スケジュール信号３２の開スケジュールに従ってボイラ出口圧力調節ダンパ１４ａを開作動する。その後、ボイラ出口圧力計１６ａによるボイラ１ａ出口の圧力と、煙突入口圧力計２０ａによる煙突５ａ入口の圧力の差（差圧）が無くなるようにボイラ出口圧力調節ダンパ１５ａの開度を制御する。
【００３１】
上記したように、ボイラ起動時に、ボイラ１ａ出口と煙突５ａ入口の差圧０の制御が行われることにより、排ガスがバイパスダクト1３ａを逆流するようなことが防止され、ボイラ１ａ出口の排ガス圧力は安定するので、ボイラ起動時にボイラ１ａが失火するような問題を防止することができる。
【００３２】
ボイラ１ａの起動が終了すると通常運転に移行するが、通常運転時は図２のボイラ負荷信号２５に基づいて関数発生器２６により作成した第１設定圧力２７（図２の場合は−５０ｍｍＨ2Ｏ）が引算器２８に入力されてボイラ出口圧力計１６ａからの信号と引算され、該引算器２８による引算結果の偏差がなくなるようにＰＩコントローラ２９から出される信号により前記ボイラ出口圧力調節ダンパ１４ａの開度が制御され、これによってボイラ出口の排ガス圧力が安定される。これと同時に、ボイラ負荷信号２５に基づいて図３の関数発生器３８により作成した第２設定圧力３９（図３の場合は−１１０ｍｍＨ2Ｏ）が引算器４０に入力されて脱硫入口圧力計１９からの信号と引算され、該引算器４０による引算結果の偏差がなくなるようにＰＩコントローラ４１から出される信号により前記誘引圧力調節ダンパ１７ａの開度が制御される。これにより脱硫設備９入口の排ガス圧力が安定される。
【００３３】
ボイラ１ａの停止時は、先ず、ボイラ出口圧力計１６ａによるボイラ１ａ出口の圧力と、煙突入口圧力計２０ａによる煙突５ａ入口の圧力の差（差圧）が無くなるようにボイラ出口圧力調節ダンパ１４ａの開度を制御する。
【００３４】
この状態でボイラ出口圧力計１６ａで検出されるボイラ１ａの排ガスの圧力が安定した後、ボイラ負荷を減少させると共に、図２に示す如くボイラ負荷信号２５に基づく閉スケジュール信号３４の閉スケジュールに従ってボイラ出口圧力調節ダンパ１４ａを閉作動する。
【００３５】
上記したように、ボイラ停止時も、ボイラ１ａ出口と煙突５ａ入口の差圧０の制御が行われることにより、排ガスがバイパスダクト1３ａを逆流するようなことが防止され、ボイラ１ａ出口の排ガス圧力は安定するので、ボイラ起動時にボイラ１ａが失火するような問題を防止することができる。
【００３６】
ボイラ１ａ負荷が減少して停止し、又はバイバスダクト１３ａを通って排ガスが煙突に導かれた後、ボイラ出口圧力調節ダンパ１４ａが全閉し、その後当該ボイラ１ａに対応するブースタファン１０ａの運転を停止する。このように停止したボイラ１ａは、他のボイラ１ｂに対する影響及び排ガスの逆流を防止するために、開閉ダンパ５２ａ，５３ａを閉止する。
【００３７】
また、前記したボイラ１ａが運転されている状態において、別のボイラ１ｂを起動或いは停止する際は、前記ボイラ１ａ出口の排ガス圧力が第１圧力制御器１５ａによって第１設定圧力２７に保持され、且つ脱硫設備９の入口圧力が第２圧力制御器１８によって第２設定圧力に保持されているため、別のボイラ１ｂを前記と同様にして起動或いは停止しても、運転しているボイラ１ａに対して悪い影響を与えることはない。
【００３８】
更に、前記ボイラ１ａ，１ｂによって高硫黄燃料でありしかも着火・燃焼性が悪い燃料を燃焼する場合には、起動時は燃焼性の良い低硫黄燃料を燃焼させて排ガスをバイパスダクト１３ａ，１３ｂに流すようにし、ボイラ１ａ，１ｂが十分に加熱された後に高硫黄燃料に切り換えて燃焼し排ガスを脱硫設備９に導くようにすることができる。
【００３９】
なお、本発明のボイラ通風圧力制御装置及びその運転方法は、上記形態にのみ限定されるものではなく、図１では２基のボイラを備えた場合について説明したが３基以上のボイラを備えた多缶ボイラにも適用できること、その他、本発明の要旨を逸脱しない範囲内において種々変更を加え得ることは勿論である。
【符号の説明】
【００４０】
１ａ，１ｂ  ボイラ
３ａ，３ｂ  排ガスダクト
５ａ，５ｂ  煙突
９  脱硫設備
１０ａ，１０ｂ        ブースタファン
１１  合流ダクト
１２ａ，１２ｂ        分岐ダクト
１３ａ，１３ｂ        バイパスダクト
１４ａ，１４ｂ        ボイラ出口圧力調節ダンパ
１５ａ，１５ｂ        第１圧力制御器
１６ａ，１６ｂ        ボイラ出口圧力計
１７ａ，１７ｂ        誘引圧力調節ダンパ
１８  第２圧力制御器
１９  脱硫入口圧力計
２０ａ，２０ｂ  煙突入口圧力計
２１ａ，２１ｂ        開閉ダンパ
２２ａ，２２ｂ        開閉ダンパ
２７  第１設定圧力
３２  開スケジュール信号
３４  閉スケジュール信号
３９  第２設定圧力
５２ａ，５２ｂ        開閉ダンパ
５３ａ，５３ｂ        開閉ダンパ
【図１】
0005402624.tif 000002
【図２】
0005402624.tif 000003
【図３】
0005402624.tif 000004
【図４】
0005402624.tif 000005
【図５】
0005402624.tif 000006